(57)【要約】【課題】入れ歯やジュエリー等を洗浄する際に、洗浄剤が手に付着することなく容易に洗浄でき、かつ外出先で洗浄を行う場合には携帯しやすく、適度な大きさで使いやすく、かつ使い捨てできる洗浄用包装袋を提供する。【解決手段】包装袋１は本発明にかかる洗浄用包装袋であり、袋体２の部分は浸透性を有さない素材で構成されている。包装袋１の第一収納部４にあらかじめ洗浄剤を収納しておき、水などの液体を入れ、洗浄対象物に到達することによって洗浄することができる。この後、使用済みの洗浄液を分割された２室のうち洗浄対象物を収納していない第二収納部５側を開封して排出する。【選択図】図１
2009299001.tif 000002
【特許請求の範囲】
【請求項１】
浸透性を有さない素材で形成された袋体の内部が、折り曲げた浸透性を有するシートにより分割され、分割された２室の片側に粉末、固形、または液体の洗浄剤を収納し、使用時に水などの液体を入れて洗浄剤を溶解、希釈、あるいはそのままの状態とし、洗浄対象物を袋体内に投入して洗浄を行った後に使用済みの洗浄液は分割された２室のうち洗浄対象物を収納していない方を開封して排出可能としたことを特徴とする包装袋。
【請求項２】
袋体の一部にチャックが取り付けられていることを特徴とする請求項１に記載の包装袋。
【請求項３】
袋体が自立袋であることを特徴とする請求項１または請求項２に記載の包装袋。
【発明の詳細な説明】
【技術分野】
【考案の属する技術】
【０００１】本発明は、入れ歯やジュエリー等の洗浄対象物を粉末、固形または液体の洗浄剤で洗浄する際に使用する包装袋に関するものである。
【背景技術】
【０００２】洗浄剤は、一般的に洗浄剤のみ個装され多数市販されている。これを使用して洗浄を行う際は、使用者がコップやその他の適当な大きさの容器をあらかじめ準備して洗浄剤に洗浄対象物を漬け込むケースが一般的である。【０００３】また、最近は利便性を向上するため、洗浄剤を直接洗浄対象物に吹き付けて洗い流すタイプが販売されている。【０００４】しかしながら、これらの方法では漬け込んだ洗浄対象物に付着した洗浄剤を洗い流す必要があり、洗い流す作業時には洗浄剤が手に付着するため、後で手を洗うか手袋をはめて作業しなければならず、取り扱いが面倒であった。【０００５】更には、外出先で入れ歯やジュエリー等を洗浄したいとき、例えば宿泊先などに適当な大きさの容器がないとか、洗浄用に使用した結果、本来の目的に使用しづらくなる等の問題があった。
【発明が解決しようとする課題】
【０００６】  本発明は、入れ歯やジュエリー等を洗浄する際に、洗浄剤が手に付着することなく容易に洗浄でき、かつ外出先で洗浄を行う場合には携帯しやすく、適度な大きさで使いやすく、かつ使い捨てできる洗浄用包装袋を提供することを目的とする。
【課題を解決するための手段】
【０００７】上記課題を解決するため、本発明は浸透性を有さない素材で形成された袋体の内部が折り曲げた浸透性を有するシートにより分割され、分割された２室の片側に粉末、固形、または液体洗浄剤を収納し、使用時に水などの液体を入れて洗浄剤を溶解、希釈、あるいはそのままの状態とし、洗浄対象物を袋体内に投入して洗浄を行った後に使用済みの洗浄液は分割された２室のうち洗浄対象物を収納していない方を開封して排出可能としたことを特徴とする。
【発明の効果】
【０００８】本発明は、浸透性を有さない素材で形成された袋体の内部が折り曲げた浸透性を有するシートにより分割され、分割された２室の片側に粉末、固形、または液体洗浄剤を収納し、使用時に水などの液体を入れて洗浄剤を溶解、希釈、あるいはそのままの状態とし、洗浄対象物を袋体内に投入して洗浄を行った後に使用済みの洗浄液を分割された２室のうち洗浄対象物を収納していない方を開封して排出することにより、入れ歯やジュエリー等を洗浄する際に、洗浄剤が手に付着することなく、手袋も使用しないで容易に洗浄できる。
【０００９】また、かつ外出先で洗浄を行う場合には携帯しやすく、適度な大きさで使いやすく、かつ使い捨てできる洗浄用包装袋を提供することができ、更には、適当な大きさの容器を探したり、容器を洗浄用に使用した結果、本来の目的に使用しづらくなる等の面倒を省くことができる。
【発明を実施するための最良の形態】
【００１０】以下、本発明にかかる洗浄用包装袋の実施形態の例について図に基づいて説明する。ここで、図１は本発明にかかる洗浄用包装袋の斜視図、図２は図１のＡ−Ａ断面図である。【００１１】図において包装袋１は本発明にかかる洗浄用包装袋であり、袋体２の部分は浸透性を有さない素材で構成されている。シート３は浸透性を有する素材で構成されており、折り曲げた状態で袋体２の内部を第一収納部４と第二収納部５に分割するように取り付けられている。【００１２】図４のように、包装袋１のシート３により分割された第一収納部４にあらかじめ洗浄剤を収納しておく。次に図５のように包装袋を開封して第二収納部５に洗浄対象物を投入し、更に図６のように水などの液体を入れて洗浄剤を溶解、希釈するか、あるいはあらかじめ洗浄対象物が漬け込まれる量の洗浄剤を収納しておいて開封口を閉じる。開封口を閉じる手段は特に限定されず、あらかじめチャックを装着した袋を用いても良いし、各種粘着剤や接着剤を用いても良い。これによって洗浄液が浸透性を有するシート３を透過し、洗浄対象物に到達することによって洗浄することができる。この後、図７のように使用済みの洗浄液を分割された２室のうち洗浄対象物を収納していない第二収納部５側を開封して排出する。【００１３】シート３により分割された２つの収納部のどちらに洗浄剤、あるいは洗浄対象物を収納するかは特に限定されず、たとえば洗浄対象物が１つの場合は第一収納部４に洗浄対象物を投入すればよいし、洗浄対象物が２つの場合は、第二収納部５に２つの洗浄対象物を別々に投入すればよい。【００１４】前記袋体２に使用する素材は、浸透性を有さないものであれば特に限定されず、たとえばポリプロピレン、低密度ポリエチレン、中密度ポリエチレン、高密度ポリエチレン、エチレン−酢酸ビニル共重合体、ナイロン、ポリエチレンテレフタレート等のプラスチックフィルムやこれのラミネート品、あるいはプラスチックフィルムと紙、セロファン、アルミ箔等の他素材とのラミネート品なども使用できる。また、プラスチックフィルムに各種素材を蒸着したフィルムも使用することができる。なお、各素材を積層する手段についても限定はなく、例えば、一般的な積層手段であるドライラミネート法や押出コーティング法などを用いればよい。【００１５】前記シート３に使用する素材は、洗浄液がスムーズに浸透して洗浄対象物に到達するものであれば特に限定はされず、たとえば布やメッシュシートなどが使用できる。【００１６】前記シート３の折り曲げ方は特に限定されず、二つ折りにするほか、たとえば図３の袋体６のように第一収納部４のスペースを拡張する為に多重に折り曲げてもよい。【００１７】前記シート３の寸法や位置は特に限定されず、洗浄剤の量と洗浄対象物の大きさに応じて変更し、分割される２室のスペースやバランスを調整すればよい。【００１８】前記袋体２に前記シート３を取り付ける方法は特に限定されず、たとえば双方の接着部分に熱溶融性の素材を用いてヒートシールによって取り付けてもよいし、各種粘着剤や接着剤を用いて取り付けてもよい。
【図面の簡単な説明】
【００１９】
【図１】図１は、本発明にかかる洗浄用包装袋の斜視図である。
【図２】図２は、図１のＡ−Ａ断面図である。
【図３】図３は、本発明にかかる洗浄用包装袋の別の実施形態を示す断面図である。
【図４】図４は、分割された第一収納部４に洗浄剤を収納した状態を示す断面図である。
【図５】図５は、包装袋を開封して、第二収納部５に洗浄対象物を投入した状態を示す断面図である。
【図６】図６は、洗浄対象物を投入後、水などの液体を入れて洗浄剤を溶解、希釈、あるいはあらかじめ洗浄対象物が漬け込まれる量の洗浄剤を収納しておいて開封口を閉じた状態を示す断面図である。
【図７】図７は、使用済みの洗浄液を分割された２室のうち洗浄対象物を収納していない第二収納部５側を開封して排出した状態を示す断面図である。
【符号の説明】
１  洗浄用包装袋２  袋体３  浸透性を有するシート４  第一収納部５  第二収納部６  別の実施形態の洗浄用包装袋７  洗浄液８  洗浄対象物
【図１】
2009299001.tif 000003
【図２】
2009299001.tif 000004
【図３】
2009299001.tif 000005
【図４】
2009299001.tif 000006
【図５】
2009299001.tif 000007
【図６】
2009299001.tif 000008
【図７】
2009299001.tif 000009